(57)【要約】【課題】１つのリモコンで複数の機器を遠隔制御することを目的とする。【解決手段】リモコンキーを表示するための情報と各キーに割り当てたコードを有するリモコン情報を記憶する記憶手段１と、送信指示するための指示手段１と、前記記憶機器の内容を読み出し送信手段１に送出または受信手段１からの信号を判定し機器を制御する制御手段１を備えた機器と、機器から送信されたリモコン情報を受信する受信手段２と、受信したリモコン情報を記憶する記憶手段２と、前記記憶手段２のリモコン情報を表示手段に表示し指示手段２からの指示をキーコードに変換し送信手段２に出力する制御手段２を備えたリモコンにより構成する。【選択図】  図１
2004282430.tif 000002
【特許請求の範囲】
【請求項１】
機器自身を遠隔制御するリモコンに用いることを目的とした機器固有のリモコン情報を記憶する第１のリモコン情報記憶手段と、前記第１のリモコン情報記憶手段の記憶内容をリモコンに送信する指示をユーザーの操作により行うための送信指示手段と、前記送信指示手段の出力に基づいてリモコンに対して前記第１のリモコン情報記憶手段の記憶内容を送信する第１の信号送信手段と、リモコンから送信された信号を受信する第１の信号受信手段とを備えた機器。
【請求項２】
遠隔制御される機器から送信された機器固有のリモコン情報を受信する第２の信号受信手段と、前記第２の信号受信手段の出力を記憶する第２のリモコン情報記憶手段と、前記第２のリモコン情報記憶手段の記憶内容を可視可能なキー情報に変換して表示する表示手段と、前記表示手段による表示に基づきユーザーの操作により機器を遠隔制御する指示情報を出力する指示手段と、前記指示手段の出力をキー情報に割り当てられたコードに変換したキー情報コードを機器に対して送信する第２の信号送信手段とを備えたリモコン。
【請求項３】
請求項１記載の機器と請求項２記載のリモコンを組み合わせたことを特徴とするリモコンシステム。
【請求項４】
機器自身を遠隔制御するリモコンに用いることを目的とした機器固有のリモコン情報を記憶する第３のリモコン情報記憶手段と、リモコンからのリモコン情報要求信号に基づいて前記第３のリモコン情報記憶手段の記憶内容をリモコンに対して送信する第３の信号送信手段と、リモコンから送信された信号を受信する第３の信号受信手段とを備えた機器。
【請求項５】
遠隔制御される機器固有のリモコン情報を機器からリモコンに送信することを指示するリモコン情報要求信号を機器に対して送信する送信指示手段と、前記リモコン情報要求信号に基づいて機器から送信された信号を受信する第４の信号受信手段と、前記第４の信号受信手段の出力を記憶する第４のリモコン情報記憶手段と、前記第４のリモコン情報記憶手段の記憶内容を可視可能なキー情報に変換して表示する表示手段と、前記表示手段による表示に基づきユーザーの操作により機器を遠隔制御する指示情報を出力する指示手段と、前記指示手段の出力をキー情報に割り当てられたコードに変換したキー情報コードまたはリモコン情報要求信号を機器に対して送信する第４の信号送信手段とを備えたリモコン。
【請求項６】
請求項４記載の機器と請求項５記載のリモコンを組み合わせたことを特徴とするリモコンシステム。
【請求項７】
機器固有のリモコン情報は、機器識別コードと、リモコンキーの名称を表すコードと、リモコンキーの表示位置情報を表すコードと、リモコンキーが機器を制御するために割り当てられたコードを有することを特徴とする請求項１、請求項２、請求項４または請求項５記載の機器またはリモコン。
【請求項８】
機器識別コードは、機器の名称と機器固有の番号を有することを特徴とする請求項７記載の機器またはリモコン。
【請求項９】
第３の信号受信手段の出力にリモコン情報要求信号および機器自身の機器識別コードが含まれている場合は機器固有のリモコン情報の送信を行わないことを特徴とする請求項４記載の機器。
【請求項１０】
第４の信号送信手段は、リモコン情報要求信号または第４のリモコン情報記憶手段に記憶されている機器識別コードまたはキー情報コードを機器に対して送信することを特徴とする請求項５記載のリモコン。
【発明の詳細な説明】
【０００１】
【発明の属する技術分野】
本発明は、複数の機器を制御するリモコンとリモコンにより制御される機器に関するものである。
【０００２】
【従来の技術】
近年、家庭には遠隔操作を可能としてリモートコントローラ（リモコン）を用意した機器（たとえばテレビ、ＶＴＲなど）が多くあり、それぞれその専用リモコンを用い目的とする機器を遠隔制御するよう構成されており、数多くのリモコンが存在する状態が発生している。数多くのリモコンをその都度持ち変えて機器を制御することは非常に煩雑である。複数のリモコンを持ち変える煩雑さを回避するために、複数の機器に対応したリモコン機能を１つのリモコンに内蔵し、目標とする機器を容易に選別するリモコンシステムがある（例えば特許文献１参照。）。
【０００３】
【特許文献１】
特開２００２−３４０８７号公報（第３−５頁、第１−４図）
【０００４】
【発明が解決しようとする課題】
リモコンに複数の機器に対応したリモコン機能を内蔵する場合、あらかじめメモリに記憶させておき表示する方法が用いられる。この場合、あらかじめ記憶させておくため、リモコンを購入後に新機能を有した機器が発売された場合対応することが不可能となる問題がある。また着脱式のメモリを搭載した場合、新機能の機器に対応したリモコン情報を着脱式のメモリで供給することができるが、新機能を持った機器を購入するたびに対応したリモコン機能を記憶したメモリも入手する必要があり非常に煩雑となる問題点を有していた。
【０００５】
本発明はリモコン購入以降に発売されかつ新しい機能を持った機器であっても遠隔制御することが可能な機器、リモコンおよびリモコンシステムを提供することを目的とする。
【０００６】
【課題を解決するための手段】
この目的を達成するために本発明の機器は、機器自身を遠隔制御するリモコンに用いることを目的とした機器固有のリモコン情報を記憶する第１のリモコン情報記憶手段と、前記第１のリモコン情報記憶手段の記憶内容をリモコンに送信する指示をユーザーの操作により行うための送信指示手段と、前記送信指示手段の出力に基づいてリモコンに対して前記第１のリモコン情報記憶手段の記憶内容を送信する第１の信号送信手段と、リモコンから送信された信号を受信する第１の信号受信手段とを備えた構成を有し、
本発明のリモコンは、遠隔制御される機器から送信された機器固有のリモコン情報を受信する第２の信号受信手段と、前記第２の信号受信手段の出力を記憶する第２のリモコン情報記憶手段と、前記第２のリモコン情報記憶手段の記憶内容を可視可能なキー情報に変換して表示する表示手段と、前記表示手段による表示に基づきユーザーの操作により機器を遠隔制御する指示情報を出力する指示手段と、前記指示手段の出力をキー情報に割り当てられたコードに変換したキー情報コードを機器に対して送信する第２の信号送信手段とを備えた構成を有し、
本発明のリモコンシステムは、上記機器およびリモコンを組み合わせた構成を有している。
【０００７】
この構成によってリモコン購入以降に発売されかつ新しい機能を持った機器であっても遠隔制御することができる。
【０００８】
【発明の実施の形態】
本発明の請求項１に記載の発明は、機器自身を遠隔制御するリモコンに用いることを目的とした機器固有のリモコン情報を記憶する第１のリモコン情報記憶手段と、前記第１のリモコン情報記憶手段の記憶内容をリモコンに送信する指示をユーザーの操作により行うための送信指示手段と、前記送信指示手段の出力に基づいてリモコンに対して前記第１のリモコン情報記憶手段の記憶内容を送信する第１の信号送信手段と、リモコンから送信された信号を受信する第１の信号受信手段とを備えた機器である。
【０００９】
これにより、リモコン情報を機器側に持たせることにより、あとから購入した機器であっても設計者の意図したリモコンをリモコンの表示部に表示することができるという作用を有する。
【００１０】
本発明の請求項２に記載の発明は、遠隔制御される機器から送信された機器固有のリモコン情報を受信する第２の信号受信手段と、前記第２の信号受信手段の出力を記憶する第２のリモコン情報記憶手段と、前記第２のリモコン情報記憶手段の記憶内容を可視可能なキー情報に変換して表示する表示手段と、前記表示手段による表示に基づきユーザーの操作により機器を遠隔制御する指示情報を出力する指示手段と、前記指示手段の出力をキー情報に割り当てられたコードに変換したキー情報コードを機器に対して送信する第２の信号送信手段とを備えたリモコンである。
【００１１】
これにより、機器の設計者が意図した配列でリモコンキーを表示部に表示でき専用リモコンと同様に使い勝手のよいリモコンとすることができるという作用を有する。
【００１２】
本発明の請求項３に記載の発明は、請求項１記載の機器と請求項２記載のリモコンを組み合わせたことを特徴とするリモコンシステムである。
【００１３】
本発明の請求項４に記載の発明は、機器自身を遠隔制御するリモコンに用いることを目的とした機器固有のリモコン情報を記憶する第３のリモコン情報記憶手段と、リモコンからのリモコン情報要求信号に基づいて前記第３のリモコン情報記憶手段の記憶内容をリモコンに対して送信する第３の信号送信手段と、リモコンから送信された信号を受信する第３の信号受信手段とを備えた機器である。
【００１４】
これにより、リモコン情報を機器側に持たせることにより、あとから購入した機器であっても設計者の意図したリモコンをリモコンの表示部に表示することができるという作用を有する。
【００１５】
本発明の請求項５に記載の発明は、遠隔制御される機器固有のリモコン情報を機器からリモコンに送信することを指示するリモコン情報要求信号を機器に対して送信する送信指示手段と、前記リモコン情報要求信号に基づいて機器から送信された信号を受信する第４の信号受信手段と、前記第４の信号受信手段の出力を記憶する第４のリモコン情報記憶手段と、前記第４のリモコン情報記憶手段の記憶内容を可視可能なキー情報に変換して表示する表示手段と、前記表示手段による表示に基づきユーザーの操作により機器を遠隔制御する指示情報を出力する指示手段と、前記指示手段の出力をキー情報に割り当てられたコードに変換したキー情報コードまたはリモコン情報要求信号を機器に対して送信する第４の信号送信手段とを備えたリモコンである。
【００１６】
これにより、機器の設計者が意図した配列でリモコンキーを表示部に表示でき専用リモコンと同様に使い勝手のよいリモコンとすることができるという作用を有する。
【００１７】
本発明の請求項６に記載の発明は、請求項４記載の機器と請求項５記載のリモコンを組み合わせたことを特徴とするリモコンシステムである。
【００１８】
本発明の請求項７に記載の発明は、機器固有のリモコン情報は、機器識別コードと、リモコンキーの名称を表すコードと、リモコンキーの表示位置情報を表すコードと、リモコンキーが機器を制御するために割り当てられたコードを有することを特徴とする請求項１、請求項２、請求項４または請求項５記載の機器またはリモコンである。
【００１９】
これにより、リモコンに複数機器のリモコン情報があっても、どの情報がどの機器に対応したものかを容易に判定することができ、同一機器からの重複記憶を回避できるという作用を有する。
【００２０】
本発明の請求項８に記載の発明は、機器識別コードは、機器の名称と機器固有の番号を有することを特徴とする請求項７記載の機器またはリモコンである。
【００２１】
これにより、機器の名称を表示することが可能となり操作者が表示されたリモコンキー列と機器とを特定することができるという作用を有する。
【００２２】
本発明の請求項９に記載の発明は、第３の信号受信手段の出力にリモコン情報要求信号および機器自身の機器識別コードが含まれている場合は機器固有のリモコン情報の送信を行わないことを特徴とする請求項４記載の機器である。
【００２３】
本発明の請求項１０に記載の発明は、第４の信号送信手段は、リモコン情報要求信号または第４のリモコン情報記憶手段に記憶されている機器識別コードまたはキー情報コードを機器に対して送信することを特徴とする請求項５記載のリモコンである。
【００２４】
これにより、各機器のリモコン情報を一括して集める場合、すでにリモコン内に保有する機器からのリモコン情報送信を行わなくすることができ、一括収集時間の短縮、アクセスの重複回避制御を簡易化することが可能になるという作用を有する。
【００２５】
（実施の形態１）
図１は本発明の実施の形態１におけるリモコンシステムの構成を示すブロック図である。図１において、１は遠隔制御される機器、２はリモコンである。
【００２６】
機器１は以下の構成を有する。３はＣＰＵなどで構成され機器１の全体の制御を行う第１の制御部、４は機器１本来の機能を行う機器制御部であり、具体的にはＶＴＲ機器である場合にはＶＴＲ部に相当する部分である。５は機器１を遠隔制御するリモコン２に送るための必要な情報を記憶する第１のリモコン情報記憶部、６は機器１からリモコン２に対して情報を送信するための第１の信号送信部、７は機器１を制御するためのリモコン信号をリモコン２から受信する第１の信号受信部、８はリモコン情報記憶部５に記憶される情報をリモコン２に送信する指示をするための送信指示部である。
【００２７】
リモコン２は以下の構成を有する。９はリモコン２全体を制御する第２の制御部である。１０は機器１からの情報を受信する第２の信号受信部、１１は機器１を含む複数の機器からのリモコン情報を記憶管理する第２のリモコン情報記憶部、１２は機器１を制御するためのリモコンキーを表示するための表示部、１３は機器１を遠隔制御するためのリモコン信号を機器１に送信する第２の信号送信部、１４は第２のリモコン情報記憶部１１に記憶されるリモコンキー情報を操作者が判読可能な文字または記号に展開するためのフォント記憶部、１５は表示部１２に表示したリモコンキーを操作者が指定するための指示部であり、具体的にはタッチパネルなどのように押した場所が特定できるものである。
【００２８】
以下その動作について説明する。
【００２９】
制御される機器は、自己を制御するためのリモコン情報を機器自身に記憶している。新たにＶＴＲ機器等の機器１を設置したとき、従来から存在しているリモコン２を機器１に向けて置く。そして機器１の制御内容であるリモコン情報をリモコン２に転送するための起動を機器１において行う。即ち、機器１の送信指示部８から送信指示すると、第１の制御部３は第１のリモコン情報記憶部５に記憶されている機器１のリモコン情報を読み出し、第１の信号送信部６に出力する。第１の信号送信部６から送信された信号はリモコン２の第２の信号受信部１０で受信され、第２の制御部９に送られる。第２の制御部９は受信した機器１のリモコン情報を第２のリモコン情報記憶部１１に記憶するとともに、機器１のリモコン情報に従いフォント記憶部１４で文字記号に展開し、リモコンキーを表示部１２に表示する。操作者が表示部１２のリモコンキーを押すと指示部１５でその位置を検出し第２の制御部９に送る。第２の制御部９は第２のリモコン情報記憶部１１に記憶された機器１のリモコン情報に基づいて押された位置がどのリモコンキーに対応するかを判定し、そのキーに割り当てられたキーコードを読み出し、第２の信号送信部１３経由で機器１に送信する。送信されたリモコン信号は機器１の第１の信号受信部７で受信され、第１の制御部３によりリモコンコードから必要な制御が判定され機器制御部４に制御指示を出力する。
【００３０】
図２は第１のリモコン情報記憶部５および第２のリモコン情報記憶部１１に記憶される機器１のリモコン情報を示す図である。機器１のリモコン情報は機器１を特定するための識別情報２０と各リモコンキー情報２１乃至２４により構成される。識別情報２０は第２の制御部９が機器１を特定するための機器番号と操作者が機器を特定するための機器名称で構成される。機器番号はその機器の機種名と製造番号の組み合わせとすることにより特定可能である。また名称はテレビ、ＶＴＲといった名称であり、同一名称名が複数存在する場合は、リモコン情報受信後リモコン側にて表示部１２と指示部１５を使い名称名の後に番号を付与などで識別することが可能である。リモコンキー情報２１〜２４は、キーの文字または記号を表示部１２に表示するために文字または記号に割り当てられた文字コード（２１では”３２３２”）と、表示部１２上の表示位置を示す水平開始位置（２１では”０．４５”）と垂直開始位置（２１では”０．５６”）と、表示するキーの水平の長さ（２１では”０．１５”）と垂直の長さ（２１では”０．１０”）と、そのキーに割り当てられ機器１が遠隔操作を受けるためのリモコンコード（２１では”５Ｃ”）により構成される。水平開始位置、垂直開始位置は表示部１２の左上を基点とし、最大表示範囲を１としたときの値で示される。同様にキーの水平長さ、垂直長さも最大表示範囲を１としてあらわされる。リモコン２の第２の制御部９は機器のリモコン情報を受信したとき、その信号に含まれる識別情報２０と第２のリモコン情報記憶部１１にすでに記憶されているリモコン情報の識別情報を比較することにより同一機器からのリモコン情報の重複記憶を回避することができる。
【００３１】
図３は、本発明の実施の形態１におけるリモコン２の表示態様を示す図であって、図２のリモコンキー情報を用い表示部１２に表示した例である。図の文字記号コードを”３２３２”＝再生、”３２３３”＝早送、”３２３４”＝巻戻、”３２３５”＝停止とした例である。再生キーは表示位置、水平０．４５、垂直０．５６から水平長さ０．１５、垂直長さ０．１０で、文字記号コード３２３２がフォント記憶部１４で文字に展開され表示される。なお、３０は機器の名称で先頭に表示することにより、いまどの機器のリモコンになっているかが容易に識別できるものでここではＶＴＲキーである。また３１は機器切替キーで、第２のリモコン情報記憶部１１に複数機器のリモコン情報が記憶されている場合、機器切替キー３１を押すことにより機器切り替えが容易に行える。
【００３２】
以上のように本実施の形態によれば、機器側にリモコン情報を記憶させておくことにより、リモコン購入以降に発売されかつ新しい機能を持った機器であっても遠隔制御することが可能となる。
【００３３】
（実施の形態２）
図４は本発明の実施の形態２におけるリモコンシステムの構成を示すブロック図である。図４において、４１は遠隔制御される機器、４２はリモコンである。
【００３４】
機器４１は以下の構成を有する。４３はＣＰＵなどで構成され機器の全体の制御を行う第３の制御部、４４は機器本来の機能を行う機器制御部でありＶＴＲ機器であればＶＴＲ部に相当する部分である。４５は機器を遠隔制御するためのリモコンに必要な情報を記憶する第３のリモコン情報記憶部、４６は機器４１からリモコン４２に対して情報を送るための第３の信号送信部、４７はリモコン４２が機器４１を制御するためのリモコン信号を受信する第３の信号受信部である。
【００３５】
リモコン４２は以下の構成を有する。４９はリモコン４２全体を制御する第４の制御部、５０は機器４１からの情報を受信する第４の信号受信部、５１は複数の機器からのリモコン情報を記憶管理する第４のリモコン情報記憶部、５２は機器を制御するためのリモコンキーを表示するための表示部、５３は機器を遠隔制御するためのリモコン信号を出力する信号送信部、５４は第４のリモコン情報記憶部５１に記憶されるリモコンキー情報を操作者が判読可能な文字または記号に展開するためのフォント記憶部、５５はリモコン４２に固定的に存在する指示キー部、５６は表示部５２に表示したリモコンキーを操作者が指定するための指示部でありタッチパネルなどのように押した場所が特定できるものである。
【００３６】
ユーザーは新たにＶＴＲ等の機器を設置したとき、リモコン４２を機器に向け、リモコン４２の指示キー部５５の情報収集キーを押す。第４の制御部４９は情報キーが押されたことを検出し第４のリモコン情報記憶部５１から機器を特定するための識別情報を読み出し、識別情報を付加したリモコン情報要求信号を作成し第４の信号送信部５３に送る。リモコン情報要求信号に付加される識別情報は第４のリモコン情報記憶部５１に記憶されているすべての識別情報が付加される。第４の信号送信部５３からのリモコン情報要求信号は第３の信号受信部４７で受信され、第３の制御部４３に送られる。第３の制御部４３は受信した信号がリモコン情報要求信号であることから、第３のリモコン情報記憶部４５に記憶されている機器自身の識別情報と受信したリモコン情報要求信号に含まれる識別情報とを比較し、一致するときは受信したリモコン情報要求信号を無視する。受信したリモコン情報要求信号に機器自身の識別信号が含まれていない場合、第３の制御部４３は第３のリモコン情報記憶部４５に記憶されているリモコン情報を読み出し第３の信号送信部４６に送信する。第４の信号受信部５０は第３の信号送信部４６からのリモコン情報を受信し第４の制御部４９に出力する。第４の制御部４９は受信したリモコン情報を新たな機器のリモコン情報として第４のリモコン情報記憶部５１に記憶する。また第４の制御部４９は受信したリモコン情報に従いフォント記憶部５４で文字記号に展開し、リモコンキーを表示部５２に表示する。操作者が表示部５２のリモコンキーを押すと指示部５６でその位置を検出し第４の制御部４９に送る。第４の制御部４９は第４のリモコン情報記憶部５１に記憶された情報から押された位置がどのリモコンキーに対応するかを判定し、そのキーに割り当てられたキーコードを読み出し、第４の信号送信部５３経由で機器４１に送信する。送信されたリモコン信号は機器４１の第３の信号受信部４７で受信され、第３の制御部４３によりリモコンコードから必要な制御が判定され機器制御部４４に制御指示を出力する。第３のリモコン情報記憶部４５および第４のリモコン情報記憶部５１に記憶されるリモコン情報の内容は実施の形態１で説明したものと同一である。
【００３７】
図５は、本発明の実施の形態２におけるリモコン４２から機器４１に対し送るリモコン情報要求信号を示す図である。６０は機器４１を制御するキーコードでは使用しない特別に割り当てられたリモコン情報要求コードである。６１は機器を特定するための識別情報であり機器番号と機器名称により構成される。
【００３８】
図６は本発明の実施の形態２におけるリモコン４２の表示態様を示す図である。６２は表示部５２の表示領域で、実施の形態１での説明と同様にキーが表示される。６３は指示キー部５５であり図では３つのキーにより構成される。情報収集キーは新たに設置された機器からリモコン情報を得るための要求キーである。また、機器切替キーを持たせることにより、リモコン情報記憶部に記憶した別の機器用のリモコン表示を表示部５２に表示することにより複数機器を制御するものである。
【００３９】
また、指示キー部５５からリモコン情報要求が指示されると第４の制御部４９により第４のリモコン情報記憶部５１に記憶される機器の識別情報を読み出し、リモコン情報要求信号を加えて送出し、第３の制御部４３により受信したリモコン情報要求信号に機器自身の識別情報が含まれている場合はリモコン情報の送信を行わないようにしたものである。
【００４０】
これにより、各機器のリモコン情報を一括して集める場合、すでにリモコン内に保有する機器からのリモコン情報送信を行わなくすることができ、一括収集時間の短縮、アクセスの重複回避制御を簡易化することが可能になる。
【００４１】
また、リモコン情報要求信号を複数の機器が受信した場合、受信した機器から同時にデータ量の多いリモコン情報が出力され、リモコン４２で受信できなくなることが考えられる。これに対しては、機器４１がリモコン情報要求信号を受信したとき、乱数発生による時間経過後識別情報だけをリモコン４２に送信し、リモコン４２で受信した識別情報をもとに機器を特定してリモコン情報を受信することにより容易に回避できる。
【００４２】
このように、リモコンを持って、他の部屋に移動したときなど、リモコンに付いているキーを１回操作するだけで、その部屋に存在する全ての機器のリモコン情報を入手することができる。
【００４３】
以上のように本実施の形態によれば、機器側にリモコン情報を記憶させておくことにより、リモコン購入以降に発売されかつ新しい機能を持った機器であっても遠隔制御することが可能となる。
【００４４】
また、機器に機器自身を遠隔制御するために必要なリモコン情報を持たせ、機器からリモコンに対しこれを送信し、リモコンで受信記憶し、リモコンキーを表示することにより、１つのリモコンで複数の機器を遠隔制御することができる。
【００４５】
また、リモコンキーの表示情報もリモコン情報に含めることにより機器設計者の意図した最適なリモコン表示が実現できる。
【００４６】
また、機器に自身を遠隔制御するために必要なリモコン情報を持たせ、リモコンから機器に対しリモコン情報を要求し、機器からリモコン情報を得、リモコン側で受信記憶し、リモコンキーを表示することにより、１つのリモコンで複数の機器を遠隔制御することができる。
【００４７】
また、機器側にリモコン情報を記憶させておくことにより、リモコン購入以降に発売されかつ新しい機能を持った機器であっても遠隔制御することが可能となる。
【００４８】
また、リモコンキーの表示情報もリモコン情報に含めることにより機器設計者の意図した最適なリモコン表示が実現できる。
【００４９】
【発明の効果】
以上のように本発明は、機器側にリモコン情報を記憶させておくことにより、リモコン購入以降に発売されかつ新しい機能を持った機器であっても遠隔制御することが可能となる。
【図面の簡単な説明】
【図１】本発明の実施の形態１におけるリモコンシステムの構成を示すブロック図
【図２】本発明の実施の形態１におけるリモコン情報を示す図
【図３】本発明の実施の形態１におけるリモコンの表示態様を示す図
【図４】本発明の実施の形態２におけるリモコンシステムの構成を示すブロック図
【図５】本発明の実施の形態２におけるリモコン情報要求信号を示す図
【図６】本発明の実施の形態２におけるリモコンの表示態様を示す図
【符号の説明】
１  機器
２  リモコン
３  第１の制御部
４  機器制御部
５  第１のリモコン情報記憶部
６  第１の信号送信部
７  第１の信号受信部
８  送信指示部
９  第２の制御部
１０  第２の信号受信部
１１  第２のリモコン情報記憶部
１２  表示部
１３  第２の信号送信部
１４  フォント記憶部
１５  指示部
４１  機器
４２  リモコン
４３  第３の制御部
４４  機器制御部
４５  第３のリモコン情報記憶部
４６  第３の信号送信部
４７  第３の信号受信部
４９  第４の制御部
５０  第４の信号受信部
５１  第４のリモコン情報記憶部
５２  表示部
５３  第４の信号送信部
５４  フォント記憶部
５５  指示キー部
５６  指示部
【図１】
2004282430.tif 000003
【図２】
2004282430.tif 000004
【図３】
2004282430.tif 000005
【図４】
2004282430.tif 000006
【図５】
2004282430.tif 000007
【図６】
2004282430.tif 000008